(57)【要約】【課題】筺体の密閉性が失われたことを検出可能な放射線撮影装置および放射線撮影システムを提供する。【解決手段】放射線撮影装置は、放射線量を電気信号に変換する放射線検出パネルと、放射線検出パネルを内部に収容し、装置外圧と異なる内圧に保持可能な筺体と、筺体の内圧を測定する内圧測定部と、を有する。【選択図】  図２
2017009464.tif 000002
【特許請求の範囲】
【請求項１】
放射線量を電気信号に変換する放射線検出パネルと、
前記放射線検出パネルを内部に収容し、装置外圧と異なる内圧に保持可能な筺体と、
前記筺体の内圧を測定する内圧測定手段と、を備えることを特徴とする放射線撮影装置。
【請求項２】
前記内圧測定手段で測定された内圧を外部装置へ送信する通信手段をさらに備えることを特徴とする請求項１に記載の放射線撮影装置。
【請求項３】
前記筺体の外部に設けられ、前記筺体の外部の圧力を測定する外圧測定手段と、
前記内圧測定手段により測定された前記筺体の内圧と前記外圧測定手段により測定された前記筺体の外圧を比較する比較手段と、をさらに備えることを特徴とする請求項１または２に記載の放射線撮影装置。
【請求項４】
前記内圧測定手段により測定された前記筺体の内圧を予め設定された値と比較する比較手段をさらに備えることを特徴とする請求項１に記載の放射線撮影装置。
【請求項５】
前記比較手段による比較の結果に基づいて通知を行う通知手段をさらに備えることを特徴とする請求項３または４に記載の放射線撮影装置。
【請求項６】
前記比較手段による比較の結果を記憶する記憶手段をさらに備えることを特徴とする請求項３乃至５のいずれか１項に記載の放射線撮影装置。
【請求項７】
前記筺体は、第１の側面パネルと第１の平面パネルを含む第１の筺体と、第２の側面パネルと第２の平面パネルを含む第２の筺体とを、前記第１の平面パネルおよび前記第２の平面パネルが対向するように組み合わせて形成され、
前記第１の側面パネルと前記第２の側面パネルとの間は密閉部材により密閉され、
前記筺体の内外の圧力差に応じた変形量が、前記第１の筺体の方が前記第２の筺体より大きく、
前記第１の側面パネルが前記第２の側面パネルの外側に位置し、
前記筺体の内部が外部に対して負圧に維持されることを特徴とする請求項１乃至６のいずれか１項に記載の放射線撮影装置。
【請求項８】
前記筺体は、第１の側面パネルと第１の平面パネルを含む第１の筺体と、第２の側面パネルと第２の平面パネルを含む第２の筺体とを、前記第１の平面パネルおよび前記第２の平面パネルが対向するように組み合わせて形成され、
前記第１の側面パネルと前記第２の側面パネルとの間は密閉部材により密閉され、
前記筺体の内外の圧力差に応じた変形量が、前記第１の筺体の方が前記第２の筺体より大きく、
前記第１の側面パネルが前記第２の側面パネルの内側に位置し、
前記筺体の内部が外部に対して正圧に維持されることを特徴とする請求項１乃至６のいずれか１項に記載の放射線撮影装置。
【請求項９】
前記内圧測定手段は、前記筺体の密閉性を確認するために前記筺体の内圧を測定することを特徴とする請求項１乃至８のいずれか１項に記載の放射線撮影装置。
【請求項１０】
前記内圧測定手段は、前記筺体の内部に収容されていることを特徴とする請求項１乃至９のいずれか１項に記載の放射線撮影装置。
【請求項１１】
放射線の入射側から順に前記放射線検出パネル、前記放射線検出パネルを支持する支持基台、前記内圧測定手段の順に収容されていることを特徴とする請求項１０に記載の放射線撮影装置。
【請求項１２】
放射線量を電気信号に変換する放射線検出パネルと、
前記放射線検出パネルを内部に収容し、装置外圧と異なる内圧に保持可能に密閉された筺体と、
前記筺体の密閉性が保たれているか否かを判定する判定手段と、を備えることを特徴とする放射線撮影装置。
【請求項１３】
放射線撮影装置と、前記放射線撮影装置と接続される情報処理装置とを備える放射線撮影システムであって、
前記放射線撮影装置は、
放射線量を電気信号に変換する放射線検出パネルと、
前記放射線検出パネルを内部に収容し、装置外圧と異なる内圧に保持可能な筺体と、
前記筺体の内圧を測定する内圧測定手段と、
前記情報処理装置へ前記内圧測定手段により測定された内圧を示す内圧値を送信する送信手段と、を備え、
前記情報処理装置は、前記放射線撮影装置の外部の圧力値と前記送信手段により送信された内圧値との比較により、前記筺体の密閉性を判定することを特徴とする放射線撮影システム。
【請求項１４】
放射線量を電気信号に変換する放射線検出パネルと、
前記放射線検出パネルを内部に収容し、装置外圧と異なる内圧に保持可能に密閉された筺体と、を備えた放射線撮影装置を含む放射線撮影システムの制御方法であって、
前記筺体の内圧を測定する内圧測定工程と、
所定の圧力値と前記内圧測定工程で測定された内圧との比較により、前記筺体の密閉性を判定する判定工程とを有することを特徴とする放射線撮影システムの制御方法。
【発明の詳細な説明】
【技術分野】
【０００１】
本発明は、放射線撮影装置および放射線撮影システムとその制御方法に関するものである。
【背景技術】
【０００２】
近年、医療画像診断や非破壊検査に用いる放射線撮影装置として、半導体センサを使用してデジタル画像を取得する装置の普及が進んでいる。半導体センサを使用した放射線撮影装置によれば、従来の感光性フィルムによる画像取得と異なり、取得画像を瞬時に確認出来ることで作業効率の向上が実現されている。更に、このような半導体線を用いた放射線撮影装置によれば、半導体センサが非常に広いダイナミックレンジを有しているため、放射線露光量の変動に影響されない撮影が可能となっている。また、半導体センサの利用により放射線撮影装置の小型・軽量化が進み、可搬型の放射線撮影装置も実用化されている（特許文献１）。可搬型の放射線撮影装置は、任意の姿勢での放射線撮影を可能とし、一般病室や屋外などでの放射線撮影に好適に用いられている。
【０００３】
ところで、可搬型の放射線撮影装置は、あらゆる状態の患者に対し直接接触して使用されることが多いため、使用後には放射線撮影装置の清掃、消毒、滅菌等が行われる。その際、消毒や滅菌の目的のために、水だけではなく有機溶剤や殺菌剤等を含んだ液体を使用する頻度が高い。したがって、放射線撮影装置の筺体には密閉性が要求される。一般に放射線撮影装置では、筺体の開口部に嵌め込まれる蓋部材が存在し、密閉部材が筺体と蓋部材の結合部に配置されて密閉性を提供している（特許文献２）。
【先行技術文献】
【特許文献】
【０００４】
【特許文献１】特許第３８４８２８８号公報
【特許文献２】特開２０１２−１８１０４４号公報
【発明の概要】
【発明が解決しようとする課題】
【０００５】
しかしながら、特許文献２では、密閉性を確保するための方法について言及されているものの、密閉性が保たれているか否かを確認する方法については言及がなされていない。密閉性を有する放射線撮影装置においては、落下・ぶつける等のユーザ操作によって大きな衝撃が加わり、筺体外装の破損、あるいは変形により密閉部材が機能しなくなる場合がある。密閉性が失われた状態で、上記のような洗浄が行われると、筺体内部に液体が侵入してしまい、故障の原因となり得る。
【０００６】
本発明は、上記課題に鑑みてなされたものであり、筺体の密閉性が失われたことを検出可能な放射線撮影装置および放射線撮影システムを提供することを目的とする。
【課題を解決するための手段】
【０００７】
上記の目的を達成するための本発明の一態様による放射線撮影装置は以下の構成を備える。すなわち、
放射線量を電気信号に変換する放射線検出パネルと、
前記放射線検出パネルを内部に収容し、装置外圧と異なる内圧に保持可能な筺体と、
前記筺体の内圧を測定する内圧測定手段と、を備える。
【発明の効果】
【０００８】
本発明によれば、放射線撮影装置の筺体の密閉性が失われたことが検出可能となる。
【図面の簡単な説明】
【０００９】
【図１】実施形態による放射線撮影システムの構成例を示す図。
【図２】第１実施形態の放射線撮影装置の内部側面断面図。
【図３】（ａ）は第２実施形態の放射線撮影装置の内部側面断面図、（ｂ）は第３実施形態の放射線撮影装置の内部側面断面図。
【図４】第１実施形態の放射線撮影システムにおける密閉状態の判定処理を説明するフローチャート。
【図５】第２実施形態の放射線撮影システムにおける密閉状態の判定処理を説明するフローチャート。
【発明を実施するための形態】
【００１０】
以下、添付の図面を参照して、本発明の好適な実施形態について詳細に説明する。
【００１１】
＜第１実施形態＞
図１は第１実施形態による放射線撮影システムの構成例を示す図である。放射線撮影システムでは、放射線撮影装置１００と情報処理装置２００が通信可能に接続されている。放射線画像の撮影時は、放射線発生装置５００と放射線撮影装置１００との間に被撮影体を配置して、被撮影体を透過した放射線を放射線撮影装置１００が検出し、画像情報（放射線画像）を得る。こうして得られた放射線画像は、放射線撮影装置１００から情報処理装置２００に伝送される。放射線画像の伝送には、有線通信２５１あるいは無線通信２５２の何れが用いられてもよい。放射線発生制御部４００は、情報処理装置２００から指定された管電流や管電圧で放射線発生装置５００を駆動する。外圧測定部３００は、放射線撮影装置１００が存在する環境の圧力である外圧値を測定し、測定結果を情報処理装置２００に提供する。
【００１２】
図２（ａ）は、第１実施形態による放射線撮影装置１００の側面断面図である。放射線撮影装置１００は、筺体１０１により装置の外装が形成され、筺体１０１の内部には放射線入射側から順に放射線検出パネル１０２、支持基台１０３が配置され、収容されている。筺体１０１は、第１の筺体１０１ａと第２の筺体１０１ｂを有する。本実施形態では、第１の筺体１０１ａが、支持基台１０３が固定される平面パネル（低面）を有する低部、第２の筺体１０１ｂが放射線検出パネル１０２の検出面と対向する平面パネル（上面）を有する蓋部を形成している。放射線検出パネル１０２は、照射された放射線量を電気信号に変換する。より具体的には、放射線検出パネル１０２は、ガラス基板に光電変換素子と蛍光体層が積層されて構成されており、放射線撮影装置１００に照射された放射線によって蛍光体層が発光し、その光を光電変換素子が電気信号に変換することで画像信号を得る。
【００１３】
また、放射線撮影装置１００の内部には筺体１０１内の圧力（装置内圧）を測定して内圧値を得るための内圧測定部１０５が配置されている。内圧測定部１０５はケーブル１０８により制御部１０７に接続されており、測定した内圧値を制御部１０７に提供する。フレキシブル回路基板１０６は、放射線検出パネル１０２と制御部１０７とを接続する。
【００１４】
制御部１０７は、放射線検出パネル１０２を駆動して放射線の検出信号を読み取る読み取り部（不図示）、読み取った検出信号をデジタル信号に変換して放射線画像データを得る変換部（不図示）を有する。また、制御部１０７は、得られた放射線画像データを外部装置である情報処理装置２００に伝送する通信部（不図示）を有する。なお、これらの機能部のうちの少なくとも一部がフレキシブル回路基板１０６に実装されていてもよい。また、制御部１０７の通信部は、内圧測定部１０５が測定した装置の内圧値を示す装置内圧情報を有線通信２５１あるいは無線通信２５２の少なくとも何れかを用いて情報処理装置２００に送信する。
【００１５】
本実施形態の放射線撮影装置１００において、筺体１０１は放射線検出パネル１０２等を内部に収容し、装置外圧と異なる内圧に保持可能に密閉されている。すなわち、筺体１０１の内部は外部に対し密閉され、外圧に対し圧力差を持った状態に保たれている。本実施形態において、筺体１０１は低部としての第１の筺体１０１ａと蓋部としての第２の筺体１０１ｂを含む少なくとも２つの部品を組み合わせて構成されている。そして、それら部品の組み合わせにおける接合部分には密閉部材１０４が配置されている。より具体的には、第１の筺体１０１ａと第２の筺体１０１ｂは、それぞれ平面パネルと接続した側面パネルを有し、それぞれの平面パネルが互いに対向するように組み合わせられている。そして、第１の筺体１０１ａと第２の筺体１０１ｂの側面パネルとの間が密閉部材１０４により密閉される。こうして、密閉部材１０４により筺体１０１の内部の密閉性が良好に確保されている。
【００１６】
図４は第１実施形態の放射線撮影システムによる、放射線撮影装置１００の密閉性の正常／異常を検出し、ユーザに通知するための処理を示すフローチャートである。以下、図４のフローチャートを参照して、本実施形態による制御部１０７と情報処理装置２００の動作について説明する。
【００１７】
制御部１０７は、一定の間隔、もしくは任意のタイミングで（ステップＳ４０１）、内圧測定部１０５による装置内圧の測定結果（内圧値）を取得する（ステップＳ４０２）。制御部１０７の通信部は、無線通信もしくは有線通信（外部接続ケーブル）を介して本実施形態の外部装置である情報処理装置２００に内圧情報（ステップＳ４０２で取得された内圧値）を送信する（ステップＳ４０３）。なお、上記処理では、制御部１０７が内圧測定部１０５から所定のタイミングで内圧値を取得するようにしたが、これに限られるものではない。内圧測定部１０５が能動的に、所定のタイミングで内圧値を測定し、これを制御部１０７に通知してもよい。この場合、制御部１０７は内圧測定部１０５からの内圧値の通知を待ち、内圧値が通知されるとこれを情報処理装置２００へ送信することになる。
【００１８】
情報処理装置２００は、放射線撮影装置１００が置かれる環境の圧力（装置外圧力）を測定する機能もしくは、別の外部機器で測定された装置外圧力（外圧値）を受信する機能を有する。本実施形態では、図１により上述したように、情報処理装置２００は外圧測定部３００から装置外圧力として外圧値を受信する。情報処理装置２００は、放射線撮影装置１００から内圧値を受信すると（ステップＳ４２１）、外圧測定部３００から外圧値を取得する（ステップＳ４２２）。情報処理装置２００は、放射線撮影装置１００から受信した内圧値と外圧測定部３００から取得した外圧値とを比較することにより筺体１０１の密閉性が維持されているかどうかを判断する（ステップＳ４２３、Ｓ４２４）。そして、情報処理装置２００は、その判断結果をユーザに通知する。すなわち、密閉性が維持されていると判定されれば密閉状態が正常であることを通知し（ステップＳ４２５）、密閉性が維持されていなければ密閉状態が異常であることを通知する（ステップＳ４２６）。
【００１９】
たとえば、情報処理装置２００は、内圧値と外圧値の差分値を計算し、その差分値が所定値以上であれば密閉性が保たれていると判断する。なお、所定値としては、筺体の体積が、９００ｃｍ３〜１８００ｃｍ３程度の範囲である場合に、たとえば、１〜１０ｋPaの間の値を用いることができる。但し、筺体の内容物やその配置等により、上記所定値は適宜選択し得るものである。落下・ぶつける等のユーザ操作により放射線撮影装置１００に大きな衝撃が加わり、外装である筺体１０１の破損、あるいは変形により密閉性が失われた場合には、筺体１０１の内圧と外圧との差がほぼなくなる。したがって、情報処理装置２００は、内圧値と外圧値との差分値があらかじめ設定された閾値より小さい場合は密閉性が失われたと判断し、ユーザにその旨を通知する（ステップＳ４２６）。なお、内圧値と外圧値との比較の結果の通知方法は、ディスプレイへの表示、音による通知など、周知の方法を用いることができる。また、密閉性に異常が発生した場合にのみユーザへの通知を行うようにしてもよい。
【００２０】
以上説明したように、第１実施形態の放射線撮影装置１００は、内外であらかじめ圧力差を設けられた密閉性を有する筺体１０１と、筺体１０１内に設けられた、装置内圧を測定するための内圧測定部１０５とを有する。情報処理装置２００は、放射線撮影装置１００から内圧測定部１０５が測定した装置内圧（内圧値）を受信し、これを外圧測定部３００から取得された装置外圧と比較することで、密閉性が保たれているか否かを判断する。なお、このような密閉性を判断するための構成は、放射線撮影装置の製造において、放射線撮影装置を組立完了後に筺体が密閉性を有しているか否かを検査するのにも利用可能である。
【００２１】
なお、内圧値と外圧値とが異なることで密閉性が保たれていることを確認するようにしているため、内圧値と外圧値との大小関係については問わない。但し、図２（ａ）に示されるように、第１の筺体１０１ａと第２の筺体１０１ｂのそれぞれの平面パネルに接続されている側面パネルを突き合わせるように接合して筺体１０１が組み立てられている場合は、筺体１０１内を外部に対して負圧にすることが望ましい。これは、密閉状態において筺体１０１の内部を負圧とすることで第１の筺体１０１ａと第２の筺体１０１ｂが互いに引きつけられ、側面パネルの突き合わせ部分で密閉部材１０４がよりつぶれる方向へ力が加わり、密閉状態がより安定するからである。
【００２２】
また、図１（ｂ）に示されるように、蓋部としての第２の筺体１０１ｂの側面パネルが、底部としての第１の筺体１０１ａの側面パネルの外側に位置するように組み合わされている構成を想定する。また、さらに、底部としての第１の筺体１０１ａの剛性が蓋部としての第２の筺体１０１ｂより大きく、装置内外の圧力差により蓋部が底部より大きく変形すると仮定する。すなわち、筺体１０１の内外の圧力差に応じた変形量が、第２の筺体１０１ｂの方が第１の筺体１０１ｂより大きいとする。このような場合、図１（ｂ）に示すように蓋部（第２の筺体１０１ｂの側面パネル）が底部（第１の筺体１０１ａの側面パネル）の外壁側に固定されている構造では、筺体１０１の内部は負圧に保たれているほう望ましい。また上記の条件で、図１（ｃ）に示すように、蓋部（第２の筺体１０１ｂの側面パネル）が底部（第１の筺体１０１ａの側面パネル）の内側に位置するように組み合わされている場合には、筺体１０１の内部が外部に対して正圧に維持されることが好ましい。
【００２３】
上記の構成が望ましい理由は、以下のとおりである。すなわち、上述の底部および蓋部の構成と、筺体の内圧値と外圧値との大小関係により、底部と蓋部との間に配置される密閉部材１０４がよりつぶれる方向に筺体が変形し、密閉性がより確実となり、密閉性に対する信頼性の観点から望ましいからである。したがって、蓋部としての第２の筺体１０１ｂの剛性が底部としての第１の筺体１０１ａの剛性より大きく、内外の圧力差により第１の筺体１０１ａが第２の筺体１０１ｂより大きく変形すると仮定した場合は、上記と逆になる。すなわち、図１（ｂ）の場合には筺体１０１の内部を正圧に、図１（ｃ）の場合には筺体１０１の内部を負圧に保つほうが望ましい。
【００２４】
なお、上記実施形態において装置内圧情報と放射線画像データの転送先は情報処理装置２００であるが、装置内圧情報と放射線画像データの転送先は同一でなくてもよい。たとえば、放射線画像データは放射線画像を表示する表示装置へ、装置内圧情報は外圧との比較を専門に行う外部装置へ転送されるようにしてもよい。また、情報処理装置２００は、内圧値と外圧値を比較したが、外圧値の変化はそれほど大きくないので、内圧値と所定値を比較するようにしてもよい。この場合、外圧測定部３００は省略可能となる。また、外圧測定部３００による測定結果を制御部１０７に取り込み、制御部１０７が上述した情報処理装置２００が行う密閉状態の判定を行うようにしてもよい。
【００２５】
＜第２実施形態＞
第２実施形態では、装置外圧と異なる内圧に保持可能に密閉された筺体１０１（１０１ａ，１０１ｂ）を有し、その筺体の密閉性が保たれているか否かを判定する判定部を備える放射線撮影装置１００を説明する。なお、筺体１０１の内部には、放射線量を電気信号に変換する放射線検出パネル１０２が収容されている。これにより、第１実施形態では情報処理装置２００が行っていた判定を制御部１０７により行われる。すなわち、第１実施形態では、密閉性が維持されているかどうかを検出するために放射線撮影装置１００とは別の外部装置である情報処理装置２００を必要とし、またその外部装置と放射線撮影装置１００との間で内圧値を通信するための構成が必要であった。第２実施形態では、そうした密閉性を判定するための通信を必要としない、可搬性に優れかつ設置環境に左右されずに、放射線撮影装置自体で密閉性の有無を判断できるようにした構成を説明する。第２実施形態の放射線撮影装置は、内圧値を得る内圧測定部、外圧値を得る外圧測定部、及び内圧値と外圧値とを比較するための比較部を有する。なお、第２実施形態の放射線撮影システムの構成は第１実施形態（図１）と同様であるが、第２実施形態では、外圧測定部３００は不要となる。また、情報処理装置２００において、放射線撮影装置１００の筺体の内圧と外圧を比較して密閉性を判定する構成も不要である。
【００２６】
図３（ａ）は、第２実施形態による放射線撮影装置の側面断面図である。図３（ａ）において放射線撮影装置１００の外装である筺体１０１の外側には、放射線撮影装置１００の外圧を測定するための外圧測定部１２１が設けられている。外圧測定部１２１において測定された外圧値はケーブル１０８ｃを介して圧力比較部１２２に送信される。また、内圧測定部１０５と圧力比較部１２２はケーブル１０８ａで接続されている。圧力比較部１２２は、内圧測定部１０５と外圧測定部１２１から取得された内圧値と外圧値を比較し、筺体１０１の密閉状態を判定する。圧力比較部１２２の判定結果はケーブル１０８ｂを介して制御部１０７に送信される。制御部１０７は、圧力比較部１２２から送信された密閉状態の判定結果に応じて、筺体１０１の密閉性に関する通知を行う。その他の構成は、第１実施形態（図２（ａ））と同様である。
【００２７】
図５は、第２実施形態の放射線撮影装置１００による密閉状態の判定処理を説明するフローチャートである。圧力比較部１２２は、一定間隔もしくは、任意のタイミングで（ステップＳ５０１）、内圧測定部１０５から内圧値を取得し（ステップＳ５０２）、外圧測定部１２１から外圧値を取得する（ステップＳ５０３）。なお、内圧測定部１０５が所定の測定タイミングで内圧値を測定し、その測定結果を圧力比較部１２２に送信することにより、圧力比較部１２２がステップＳ５０２以降の処理を実行開始するようにしてもよい。次に、圧力比較部１２２は、取得した内圧値と外圧値とを比較し（ステップＳ５０４）、筺体１０１の密閉状態が正常か否かを判定する（ステップＳ５０５）。内圧値と外圧値との比較による密閉状態の判定は第１実施形態と同様である。そして、圧力比較部１２２による密閉状態の判定結果に応じて、制御部１０７に備えられた通知部が通知を行う（ステップＳ５０６、Ｓ５０７）。
【００２８】
なお、通知部による判定結果の通知は、放射線撮影装置１００に設けられた表示器（不図示）や、ブザーにより通知を行ってもよいし、通信により判定結果を外部装置へ送信するようにしてもよい。また、制御部１０７は、通知部に代えて、または、それに加えて、比較結果（または判定結果）を記憶する記憶部を有してもよい。記憶部に記憶された比較結果または判定結果は、適宜、外部装置へ送信される。
【００２９】
なお、外圧値を送受信するケーブル１０８ｃに関して、外圧測定部１２１から装置内部に密閉性を有したまま引きまわされる必要がある。したがって、ケーブル１０８ｃと筺体１０１との間には密閉部材が配置されることが好ましい。また、外圧測定部１２１から筺体１０１内の圧力比較部１２２への外圧値の送信に、無線（たとえば、ＮＦＣなどの近距離無線通信）が用いられてもよい。また、図５のフローチャートでは、密閉状態が正常の場合にも通知を行うようにしているが（ステップＳ５０６、Ｓ５０７）、密閉状態が以上と判定された場合にのみ通知が行われるようにしてもよい。
【００３０】
以上のように、第２実施形態の構成によれば、外部機器や、当該外部機器と放射線撮影装置１００との間の通信を必要とせず、放射線撮影装置１００のみで内部の密閉性を確認することが可能となる。加えて、放射線撮影装置１００の製造において、装置を組立完了後、密閉性を有しているか否かの検査をより容易に行えるようになる。
【００３１】
＜第３実施形態＞
第２実施形態では、密閉状態の確認を行うために外圧測定部１２１と内圧測定部１０５を筺体１０１の外部と内部にそれぞれ設け、測定された外圧値と内圧値を筺体１０１の内部に設けられた圧力比較部１２２において比較している。これに対し、第３実施形態においては、コスト面を考慮し、部品点数を抑え、より簡易に筺体１０１の密閉状態を確認するために、外圧測定部を省略し、内圧測定部と圧力比較部で密閉性を確認する構成を説明する。なお、第３実施形態の放射線撮影システムの構成は第１実施形態（図１）と同様であるがでは、外圧測定部３００は不要となる。
【００３２】
図３（ｂ）は第３実施形態による放射線撮影装置１００の構成を示す側面断面図である。図３（ｂ）において、内圧測定部１０５は、一定の間隔、もしくは任意のタイミングで測定結果を圧力比較部１２２ａに送信する。圧力比較部１２２ａではあらかじめ設定された圧力値と、内圧測定部１０５から取得された内圧値とを比較し、筺体１０１の密閉状態を判定する。すなわち、圧力比較部１２２ａは、予め設定された圧力値と取得された内圧値との差があらかじめ設定された閾値より小さくなると、密閉性が失われたと判断し、ユーザにそのことを通知する。なお、第３実施形態における放射線撮影装置１００の動作は、図５に示したフローチャートのステップＳ５０３の処理を、あらかじめ設定された圧力値を不図示のメモリから読み出す処理とすればよい。
【００３３】
以上のような第３実施形態の構成によれば、外部機器および、外部機器との間の通信を必要とせず、かつ外圧測定部を省略でき、より簡易な構成で、筺体の密閉性を確認することができる放射線撮影装置１００が提供される。
【００３４】
以上のように、上述した各実施形態によれば、筺体の密閉性が失われたことを検出可能な検出器項を備えた放射線撮影装置および放射線撮影システムが提供される。したがって、ユーザは、筺体の密閉性を把握することができる。また、この密閉性の検出機構は、放射線撮影装置の製造時における密閉性の確認検査としても利用可能となる。
【００３５】
また、制御部１０７がＣＰＵとメモリを有し、ＣＰＵがメモリに格納された所定のプログラムを実行することにより、各実施形態において上述した処理が実現されてもよい。
【００３６】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３７】
１００：放射線撮影装置、１０１：筺体、１０１ａ：第１の筺体、１０１ｂ：第２の筺体、１０２：放射線検出パネル、１０３：支持基台、１０４：密閉部材、１０５：内圧測定部、１０６：フレキシブル回路基板、１０７：制御部
【図１】
2017009464.tif 000003
【図２】
2017009464.tif 000004
【図３】
2017009464.tif 000005
【図４】
2017009464.tif 000006
【図５】
2017009464.tif 000007